(57)【特許請求の範囲】
【請求項１】
縫い針を支持する針棒の近傍に配置され前記針棒を昇降させる主軸と、
前記主軸と平行でかつ前記主軸から左右方向に離間した位置に配置され前記主軸の回転により回動するメス駆動軸と、
前記針棒と互いに近接するように前記メス駆動軸から左右方向にオフセットした位置で略垂直方向に延在し、かつ、下端にメスを有するメス棒と、
前記メス駆動軸の回動を上下の揺動に変換するクランク機構と、
前記クランク機構の出力側に連結される連結点と前記連結点から前記オフセットと同方向に離間した支点とを有し、前記クランク機構の出力側の上下動により前記連結点が前記支点を中心に上下に弧を描いて揺動する上下動リンクと、
一端が前記上下動リンクに連結されるとともに他端が前記メス棒に連結され、前記上下動リンクの揺動に連動して前記メス棒を上下動させる連結機構と、
を備えたミシンのメス駆動機構において、
前記連結機構の一端が、前記連結点と前記支点との間に連結されていることを特徴とするミシンのメス駆動機構。
【請求項２】
請求項１記載のミシンのメス駆動機構において、
前記上下動リンクの前記連結点をメス駆動軸の回動軸心と一致する位置と該回動軸心から外れた位置とに切り換える切換手段を備えていることを特徴とするミシンのメス駆動機構。
【発明の詳細な説明】
【０００１】
【発明の属する技術分野】
本発明は、玉縁縫い等を行う際に適用されるミシンのメス駆動機構に関する。
【０００２】
【従来の技術】
従来より、玉縁縫いと同時にポケット孔にフラップを縫い付ける玉縁縫いミシンとして、例えば、図３に示すような玉縁縫いミシンＡが知られている。同図に示すように、この玉縁縫いミシンＡは、二本の縫い針Ｎを有するミシン本体１と、該ミシン本体１のＸ方向における図中右側に配設されるとともにテーブルＴ上の縫製準備位置Ｐ１でＺ方向に移動可能である逆Ｔ字状の保持体２と、該保持体２を間に挟む形でＹ方向において該保持体２の両側に配置された玉布載置台３及びフラップ載置台４と、縫製準備位置Ｐ１〜縫製位置Ｐ２〜縫製終了位置Ｐ３間でＸ方向に移動可能並らびにＺ方向に移動可能で、折込板５ａ付きの大押え５ｂを有する布搬送機構５と、縫製位置Ｐ２でＺ方向に移動可能なセンターメス６と、縫製終了位置Ｐ３でＸ方向に所定間隔を開けて配置されるとともにテーブルＴ上面に対して出没可能な二つのコーナーメス７とを備えている。
【０００３】
上記玉縁縫いミシンＡが、玉縁縫いと同時にポケット孔にフラップを縫い付ける場合には、この玉縁縫いミシンＡでは以下に示すような動作がなされている。なお、図１において、身生地はテーブルＴ上にセットされた後、縫製準備位置Ｐ１で待機している大押え５ｂにより押えられた状態とされている。また、玉布及びフラップも玉布載置台３及びフラップ載置台４の所定位置にそれぞれセットされた状態とされている。
まず、図４（ａ）に示すように、玉布載置台３にセットされた玉布Ｍ１上の点線位置まで保持体２を下降し玉布Ｍ１を保持して上昇する。
その後、図４（ｂ）に示すように、保持体２に保持された玉布Ｍ１を身生地Ｍ上の点線位置まで下降する。
その後、図４（ｃ）に示すように、玉布Ｍ１を保持体２と身生地Ｍとに挟んだ状態で、二枚の折込板５ａを両方とも保持体２側に突出する。このとき、玉布Ｍ１は逆Ｔ字状の保持体２の外形に沿って逆Ｔ字形に折り込まれた状態となっている。
その後、図４（ｄ）に示すように、フラップ載置台４にセットされたフラップＭ２をフラップ把持部材４ａで把持する。
その後、フラップ把持部材４ａに把持されたフラップＭ２を、図４（ｅ）に示すように、大押え５ｂ及び折込板５ａ上の一方の側に供給し、フラップ押え駆動シリンダ４ｂを作動することによりフラップ押え部材４ｃでフラップＭ２を押える。
【０００４】
そして、保持体２をその位置に残した状態で布搬送機構５を駆動し、大押え５ｂとともに身生地Ｍ、玉布Ｍ１及びフラップＭ２をミシン本体１の縫い針Ｎに対向する位置の縫製位置Ｐ２に搬送する。この縫製位置Ｐ２で、縫い目を形成し、センターメス６により縫い目間にポケット孔を形成する。
その後、ポケット孔が形成された状態の身生地Ｍ、玉布Ｍ１及びフラップＭ２を縫製終了位置Ｐ３に搬送し、この縫製終了位置Ｐ３で、二本のコーナーメス７でポケット孔の両端にＶ字形のコーナーカットを施し、玉縁縫いを終了する。
【０００５】
【発明が解決しようとする課題】
ところで、ミシン本体１内部には、Ｙ方向に延在し回転運動する主軸と、該主軸と略平行に配置されかつ該主軸の回転運動が偏心カム等を介して伝達されて揺動運動するメス駆動軸と、該主軸及びメス駆動軸それぞれの運動に連動してＺ方向に昇降する針棒及びメス棒とが備えられている。針棒は主軸の近傍に配置されかつ主軸の回転運動がそのまま伝達されて昇降し、一方、メス棒はメス駆動軸の揺動運動がリンク片を介して伝達されて昇降する。なお、針棒には縫い針Ｎが固定され、メス棒にはセンターメス６が固定されている。
ここで、玉縁縫いが行われる場合には、センターメス６による切断位置と縫い針Ｎによる縫い位置との位置関係が決められており、センターメス６の固定されたメス棒と縫い針Ｎの固定された針棒とは、互いに近接した位置に配置されることが必要である。また、主軸とメス駆動軸とを近接した位置関係に配置することで、メス駆動軸とメス棒とのＸ方向の距離を狭め、該メス駆動軸とメス棒とのＸ方向の橋渡しの役割を担うリンク片をなるべくＺ方向に傾けることも重要になる。なぜなら、リンク片をなるべくＺ方向に傾けることにより、Ｚ方向に延在するメス棒に対して、リンク片からのＸ方向への側圧を軽減し、メス駆動軸からの揺動運動をメス棒のＺ方向への昇降動作にこのリンク片により効率良く伝達できるからである。
【０００６】
しかしながら、主軸の周辺には、メス駆動軸以外にその他の駆動軸が複数備えられており、必ずしもメス駆動軸を主軸の近傍に配置できず、メス駆動軸の配置が制限される場合がある。この場合に、メス駆動軸は必然的にメス棒からＸ方向においてやや離間した位置に配置される。これに伴い、メス駆動軸の揺動運動をメス棒の昇降動作に伝達するリンク片がＸ方向に寝る状態となり、このリンク片がＺ方向に昇降するメス棒に対してＸ方向から側圧をかけるような構造となり、従って、メス棒の折損、メス棒とメス棒をＺ方向にガイドするガイド部材との間での摩耗等の不都合を生じる可能性があった。なお、特に、玉縁縫いミシンのミシン本体として、専用のミシン本体ではなく玉縁縫い以外の用途でも使用可能な汎用性を有するミシンを用いた場合には、主軸の周囲にいろいろな部材が配置されており、上述のようにメス駆動軸の配置が制限される可能性が高い。
【０００７】
そこで、本発明は、上記課題を解決できかつメス棒のＺ方向への昇降運動を円滑に行うことのできるミシンのメス駆動機構を提供する。
【０００８】
【課題を解決するための手段】
請求項１記載の発明において、例えば図１及び図２に示すように、ミシンのメス制御機構（１０）は、
縫い針を支持する針棒の近傍に配置され前記針棒を昇降させる主軸（１２）と、
前記主軸と平行でかつ前記主軸から左右方向に離間した位置に配置され前記主軸の回転により回動するメス駆動軸（１４）と、
前記針棒と互いに近接するように前記メス駆動軸から左右方向にオフセットした位置で略垂直方向に延在し、かつ、下端にメス（２６）を有するメス棒（２４）と、
前記メス駆動軸の回動を上下の揺動に変換するクランク機構（１６）と、
前記クランク機構の出力側に連結される連結点（２０ａ）と前記連結点から前記オフセットと同方向に離間した支点（２０ｂ）とを有し、前記クランク機構の出力側の上下動により前記連結点が前記支点を中心に上下に弧を描いて揺動する上下動リンク（２０）と、
一端（２２ａ）が前記上下動リンクに連結されるとともに他端（２２ｂ）が前記メス棒に連結され、前記上下動リンクの揺動に連動して前記メス棒を上下動させる連結機構（メスリンク２２、ピン２２ｃ、メス棒抱き２３、ピン２３ａ）と、
を備え、
前記連結機構の一端が、前記連結点と前記支点との間（２０ｃ）に連結されていることを特徴とする。
【０００９】
請求項１記載の発明では、メス駆動軸が回動すると、クランク機構により上下動リンクの連結点が上下動し、これに連動して、メス棒（及びメス）が上下動するようになっている。このとき、上下動リンクの連結点の上下動に伴い連結機構自体も上下動し、メス棒が上下動する。すなわち、上下動リンク及びメス棒それぞれを連結する連結機構に介された状態、言い換えれば、水平方向においてはこの連結機構によってメス駆動軸とメス棒との間が橋渡しされた状態で、メス棒は上下動する。
ここで、上記構成では、連結機構が上下動リンクの連結点と支点との間に連結され、上下動リンクの支点が連結点からメス棒に向かう方向に離れるように配置されるので、連結機構が連結点よりメス棒に近づくことになる。この場合、連結機構が連結点に連結されている構成とした場合に比べ、この連結機構はなるべくメス棒が延在する方向（すなわち垂直方向）に近づくように傾いた状態となっている。この状態で連結機構が上下動すると、連結機構とメス棒との連結部では、垂直方向に延在するメス棒に対する水平方向への側圧が軽減され、かつ、連結機構の上下動が効率良くメス棒の上下動に伝達される。そして、この場合、メス棒の折損、メス棒とメス棒を垂直方向にガイドするガイド部材との間での摩耗等の不都合を未然に防止でき、垂直方向におけるメス棒の上下動を円滑に行うことができる。
【００１０】
請求項２記載の発明は、例えば図１及び図２に示すように、請求項１記載のミシンのメス駆動機構において、
前記上下動リンクの前記連結点をメス駆動軸の回動軸心（４０）と一致する位置と該回動軸心から外れた位置とに切り換える切換手段（３０）を備えていることを特徴とする。
【００１１】
請求項２記載の発明では、切換手段により上下動リンクの連結点がメス駆動軸の回動軸心と一致する位置に配置されたとき、クランク機構の出力側に連結される上下動リンクの連結点とメス駆動軸の軸心とが同一線上に並ぶため、上下動リンクは上下動しない。このとき連結機構自体も上に持ち上げられた状態となり、同時にメス棒も上に持ち上げられた状態となっている。従って、この場合、クランク機構はメス駆動軸の回動を上下動に変換する動作はするものの、実際には、メス棒へはその変換動作は伝達されず、メス棒は上に持ち上げられた状態で静止している。一方、切換手段により上下動リンクの連結点がメス駆動軸の回動軸心から外れた位置に配置されたときは、請求項１の作用に係るメス駆動軸の動作がなされるようになっている。
従って、切換手段によって、メス棒を上下動させる場合とメス棒を上に持ち上げて静止させる場合とに切り換えることができる。このような構成とすることにより、請求項１記載の発明と同様の効果を奏するとともに、例えば、玉縁縫いを行う場合には、メス棒を上下動させメスを使用するようにし、一方、玉縁縫いを行わない場合には、メス棒を常に上に持ち上げて静止させメスを使用しないように切り換えることができる。
また、主軸の周囲にいろいろな部材が配置され、メス駆動軸の配置が制限されるようなミシンであっても、本発明のメス駆動機構を適用すれば、玉縁縫い専用のミシンではなく玉縁縫い以外の用途でも使用可能な汎用性を有するミシンとすることができる。
なお、上下動リンクの連結点の上下動は、例えば、上下動リンクの支点を移動させることにより上下動リンクを移動させて行うことができる。この場合に、上下動リンクは、連結機構をメス棒に近づけた状態でメス駆動軸の動力をメス棒に伝達する機能と、メス棒の駆動と停止とを切り換える機能とをかねることになる。
【００１２】
【発明の実施の形態】
以下、本発明のミシンのメス駆動機構に係る実施の形態について図面を参照して説明する。なお、本実施の形態においては、各図中に示したＸＹＺ軸を基準にしてそれぞれの方向を定めるものとし、特に、Ｚ方向においては＋側が上、−側が下になる。また、本発明のメス駆動機構は、例えば、玉縁縫いを行う玉縁縫いミシンに適用されるが、この玉縁縫いミシンの構成及び動作に関しては従来技術で説明した通りであるので、本実施の形態ではこの玉縁縫いミシンの説明は割愛し、この玉縁縫いミシンに適用される本発明のメス駆動機構のみの説明とする。
【００１３】
図１及び図２に示すように、メス駆動機構１０は、概略的に、主軸１２と、メス駆動軸１４と、クランク機構１６と、上下動リンク２０と、メスリンク２２と、メス棒２４と、メス２６と、切換手段３０とを備えている。
【００１４】
主軸１２は、Ｙ方向（前後方向）に延在する部材であって、その基端部１２ａに駆動モータ（図示しない）が設けられている。この駆動モータが作動することにより、主軸１２が回転運動するようになっている（図１及び２中矢印Ｂ参照）。また、主軸１２には、駆動モータからみて先端部１２ｂ側に偏心カム１３ａが固定されている。この偏心カム１３ａには、従動子１３ｂが付設されており、この従動子１３ｂがメス駆動軸１４に連結している。なお、図１及び２において、主軸１２の先端部１２ａ側の部材を省略することとし、メス駆動機構１０以外の駆動軸と連動する機構の部材を省略している。
【００１５】
メス駆動軸１４は、Ｘ方向（左右方向）において主軸１２からオフセットした位置、すなわち、主軸１２と略平行でかつ主軸１２からやや離間した位置に配置された、Ｙ方向に延在する部材である。メス駆動軸１４の基端部１４ａには、従動子１３ｂが連結されており、この従動子１３ｂ（及び偏心カム１３ａ）を介して主軸１２の回転運動が伝達されるようになっている。具体的には、主軸１２が回転運動すると、偏心カム１３ａ及び従動子１３ｂを介して、メス駆動軸１２は所定の角度範囲内で繰り返し往復するように回動する（図１及び２中矢印Ｃ参照）。これら偏心カム１３ａ及び従動子１３ｂは、主軸１２の回転力をメス駆動軸１４へと伝達する伝達手段としての機能を有するものである。また、メス駆動軸１４の先端部１４ｂには、クランク機構１６が備えられている。
なお、主軸１２及びメス駆動軸１４は、図示しないミシンフレームに軸受を介して回動可能に支持されている。
【００１６】
クランク機構１６は、メス駆動軸１４の回動を上下の揺動に変換するものであって、第一クランク片１７と、第二クランク片１８とを備える。
第一クランク片１７は、その一端部（以下「端部１７ａ」という）がメス駆動軸１４の先端部１４ｂに固定され、メス駆動軸１４の回動軸心４０から径方向に延出している。第一クランク片１７の他端部（以下「端部１７ｂ」という）は、第二クランク片１８の一端部（以下「端部１８ａ」という）に回動自在に連結されている。メス駆動軸１４が回動する（図１及び２中矢印Ｃ参照）と、第一クランク片１７の端部１７ａを中心にして第一クランク片１７の端部１７ｂ及び第二クランク片１８の端部１８ａが同時に上下に円弧状の軌跡を描いて揺動する（図１及び２中矢印Ｄ参照）。第二クランク片１８の他端（以下「端部１８ｂ」という）には、上下動リンク２０の一端部（以下「連結点２０ａ」という）が連結されている。
【００１７】
上下動リンク２０は、クランク機構１６の出力側に連結された（詳しくは、第二クランク片１８の端部１８ｂに連結された）連結点２０ａと、該連結点２０ａからＸ方向において主軸１２側、すなわち、メス駆動軸１４から右側にオフセットする方向に離間した支点２０ｂとを有する細長い板状の部材である。上下動リンク２０の支点２０ｂには、後述する切換手段３０の切換リンク３２の一端部が固定されており、切換手段３０が作動しない限り図１及び２中のこの位置で回動可能に固定されている。従って、クランク機構１６の第一クランク片１７及び第二クランク片１８が上下に揺動すると（図１及び２中矢印Ｄ参照）、上下動リンク２０の連結点２０ａは支点２０ｂを中心に上下に円弧状の軌跡を描いて揺動する（図１及び２中矢印Ｅ参照）。また、上下動リンク２０の連結点２０ａと支点２０ｂとの間で、かつ、連結点２０ａ側寄りに設けられた中間点２０ｃに、メスリンク２２の一端部が連結されている。
【００１８】
メスリンク２２は、上下動リンク２０とメス棒２４との連結を介在する部材である。その一端部（以下「端部２２ａ」という）がピン２２ｃにより上下動リンク２０の中間点２０ｃに連結され、他端部（以下「端部２２ｂ」という）がピン２３ａによりメス棒抱き２３に連結されている。メス棒抱き２３は、メスリンク２２の端部２２ｂとメス棒２４とのＹ方向における距離のずれを調整する部材であって、メスリンク２２の端部２２ｂとメス棒２４とを連結するものである。なお、このメス棒抱き２３は、メス棒２４に固定されている。上下動リンク２０の連結点２０ａが上下に揺動すると（図１及び２中矢印参照）、上下動リンク２０の中間点２２ｃの揺動に連動して、メスリンク２２は上下に鉛直な軌跡を描いて上下動する（図１及び２中矢印Ｆ参照）。
従って、メスリンク２２と、メス棒抱き２３と、メス棒抱き２３とメスリンク２２とを回動可能に連結するピン２３ａと、メスリンク２２と上下動リンク２０とを回動可能に連結するピン２２ｃとによって、連結機構が構成される。すなわち、連結機構は、上下動リンク２０の連結点２０ａと支点２０ｂとの間にメス棒２４を連結するものである。
【００１９】
メス棒２４は、メス駆動軸１４からＸ方向（メス駆動軸１４から右側の方向）にオフセットした位置でＺ方向に延在し、かつ、下端にメス２６を有する部材である。メス棒２４の略中央部にはメス棒抱き２３が固定され、更にこのメス棒抱き２３を介してメスリンク２２の端部２２ｂが連結されている。メス棒２４にはメス棒抱き２３の上側及び下側のそれぞれにリング状のガイド部材２５が二つ配設されている。この二つのガイド部材２５にメス棒２４は挿通された状態となっている。この二つのガイド部材２５は、メス棒２４の上下位置において不動であり、挿通されたメス棒２４のＺ方向の移動をガイドするガイド手段としての機能を有するものである。従って、メスリンク２２が上下動すると（図１及び２中矢印Ｆ参照）、その動力がメス棒抱き２３を介してメス棒２４に伝達される。そして、メス棒２４は二つのガイド部材２５によってガイドされた状態で上下に鉛直な軌跡を描いて上下動する（図１及び２中矢印Ｆ参照）。
【００２０】
メス２６は、メス棒２４の下端に固定されており、メス棒２４の上下動と同時に上下動する（図１及び２中矢印Ｆ１参照）。メス２６の下側には針板２７が配設されている。針板２７において、メス２６が対向する下側の位置にスリット状の孔部２７ａが設けられ、メス２６が下に移動した際に、メス２６の先端部２６ａが針板２７の孔部２７ａ内に潜入するようになっている。針板２７の孔部２７ａの下側には固定メス（図示しない）が固定されている。詳しくは図示しないが、固定メスの先端部が針板２７の上面よりも上側に突出しない位置で、かつ、針板２７の孔部２７ａに潜入したメス２６とお互いの先端部の刃先同士が重なるような位置に固定されている。従って、針板２７及びテーブルＴ上に身生地等の布を載置した状態で、メス２６が下に移動すると、メス２６の先端部は布を突き刺して針板２７の孔部２７ａに潜入する。そして、孔部２７ａに潜入したメス２６の先端部２６ａと固定メスの先端部とのお互いの刃先が重なりあい、更にメス２６が上に移動すると、二つのメス同士が布をかみ合い切断するようになっている。これらメス２６及び固定メスは、布を切断する切断手段としての機能を有するものである。
【００２１】
切換手段３０は、ソレノイド３１と、切換リンク３２とを備える。
ソレノイド３１は複数のネジ３１ａによりミシン本体の内部に固定されている。このソレノイド３１は、その吸引力でシャフト３１ｂを上下動させるものである（図１及び２中矢印Ｇ参照）。シャフト３１ｂの下端には、切換リンク３２の一端部（後述する移動部３２ａ）がネジ３１ｃにより固定されている。
切換リンク３２は細長い板状の部材で、かつ、その略中央部でやや屈曲した形状を有する部材であって、移動部３２ａと、支点部３２ｂと、固定部３２ｃとを有している。移動部３２ａは、ソレノイド３１のシャフト３１ｂの下端に固定され、シャフト３１ｂの上下動とともに上下動する（図１及び２中矢印Ｇ参照）。支点部３２ｂは切換リンク３２の略中央の屈曲部分に位置し、かつ、常に不動であって、移動部３２ａが上下動するときの支点となるものである。固定部３２ｃは、上下動リンク２２の支点２２ｂに固定されており、上下動リンク２０の連結点２０ａが上下に揺動する際に、上下動リンク２０の支点２０ｂがその保持された位置から動かないように固定するものである。なお、図１及び２中では、切換リンク３２の両端（移動部３２ａ及び固定部３２ｃ）がソレノイド３１のシャフト３１ｂ及び上下動リンク２０の支点２０ｂに固定され、上下動リンク２０の支点２０ｂは、同図中のこの位置から外れた位置に移動しないように切換手段３０によって保持された状態となっている。
【００２２】
このような構成において、切換手段３２は、上下動リンク２０の連結点２０ａをメス駆動軸１４の回動軸心４０と一致する位置と該回動軸心４０から外れた位置とに切り換えるものとなる。具体的には、ソレノイド３１のシャフト３１ｂが下に移動する（図１及び２中矢印Ｇ参照）と、切換リンク３２の支点部３２ｂを中心にして切換リンク３２の固定部３２ｃが上に円弧状の軌跡を描いて移動する（図１及び２中矢印Ｈ参照）。これに連動して上下動リンク２０も斜め上に移動し（図１及び２中矢印Ｉ参照）、上下動リンク２０の連結点２０ａはメス駆動軸１４の回動軸心４０と一致する位置に移動するとともに、クランク機構１６の第一クランク片１７及び第二クランク片１８はＹ方向において略一致して重なった状態となる。上下動リンク２０の上への移動に連動して、上下動リンク２０の中間点２０ｃに連結されたメスリンク２２も上に移動し、さらにメスリンク２２が上に移動することによりメス棒抱き２３を介してメス棒２４が上に持ち上げられた状態となる。このような状態において、メス駆動軸１４が回動（図１及び２中矢印Ｃ参照）すると、クランク機構１６の第一クランク片１７の端部１７ｂ及び第二クランク片１８の端部１８ａが同時に上下に揺動する（図１及び２中矢印Ｄ参照）が、メス駆動軸１４の回動軸心４０と上下動リンク２０の連結点２０ａとが一致する配置となっているので、クランク機構１６の上下の揺動は上下動リンク２０には伝達されない。すなわち、上下動リンク２０及びメスリンク２２は静止した状態となり、さらにメス棒２４も上側に持ち上げられて静止した状態となる。
【００２３】
一方、このような状態から、ソレノイド３１のシャフト３１ｂが上に移動する（図１及び２中矢印Ｇ参照）と、クランク機構１６、上下動リンク２０、メスリンク２２、メス棒２４及び切換リンク３２等の各構成要素は、ソレノイド３１のシャフト３１ｂが下に移動する上述した場合の動作とは逆の動作を行うとともに、上下動リンク２０の連結点２０ａがメス駆動軸１４の回動軸心４０から外れた位置に配置されるような状態、すなわち図１及び２に示すような状態に戻る。
【００２４】
ここで、上述した構成要素を備えるメス駆動機構１０の動作を（ｉ）切換手段３０により上下動リンク２０の連結点２０ａがメス駆動軸１４の回動軸心４０と一致する位置に配置された場合（メス２６を使用しない場合）と、（ｉｉ）切換手段３０により上下動リンク２０の連結点２０ａがメス駆動軸１４の回動軸心４０から外れた位置に配置された場合（メス２６を使用する場合）と、に分けて説明する。
【００２５】
（ｉ）の場合
駆動モータ（図示しない）が作動すると、主軸１２が回転運動する（図１及び２中矢印Ｂ参照）。この回転力が偏心カム１３を介してメス駆動軸１４に伝達され、メス駆動軸１４が回動する（図１及び２中矢印Ｃ参照）。この回動に連動して、クランク機構１６が上下に揺動する（図１及び２中矢印Ｄ参照）。この場合、切換手段３０により上下動リンク２０の連結点２０ａがメス駆動軸１４の回動軸心４０と一致する位置に配置されているので、クランク機構１６の揺動は上下動リンク２０には伝達されず、メス駆動軸１４及びクランク機構１６が主軸１２の回転運動に連動して所定の動作をするのみである。また、この場合、メス棒２４は常に上側に持ち上げられて静止した状態となっている。
【００２６】
（ｉｉ）の場合
駆動モータ（図示しない）が作動すると、主軸１２が回転運動する（図１及び２中矢印Ｂ参照）。この回転力が偏心カム１３を介してメス駆動軸１４に伝達され、メス駆動軸１４が回動する（図１及び２中矢印Ｃ参照）。この回動に連動して、クランク機構１６が上下に揺動する（図１及び２中矢印Ｄ参照）。この揺動に連動して、上下動リンク２０の連結点２０ａは支点２０ｂを中心にして上下に揺動する（図１及び２中矢印Ｅ参照）。上下動リンク２０の揺動に連動して、メスリンク２２及びメス棒２４が上下動する（図１及び２中矢印Ｆ参照）。そして、最終的に、メス棒２４の下端に固定されたメス２６が上下動する（図１及び２中矢印Ｆ１参照）とともにメス２６の下方に固定された固定メスと協働して、針板２７及びテーブルＴ上に載置された身生地等の布を切断する。
【００２７】
以上、本実施の形態に係るミシンのメス駆動機構１０によれば、メス駆動軸１４が回動すると、クランク機構１６により上下動リンク２０の連結点２０ａが支点２０ｂを中心に上下に揺動し、これに連動して、メスリンク２２、メス棒２４及びメス２６が上下動するようになっている。このとき、メスリンク２２の端部２２ａが上下動リンク２０の連結点２０ａと支点２０ｂとの間の中間点２０ｃに連結されることにより、上下動リンク２０の支点２０ｂが連結点２０ａからメス棒２４に向かう方向に離れるように配置されているので、メスリンク２２の端部２２ｂが連結点２０ａよりメス棒２４に近づくことになる。この場合、メスリンク２２の端部２２ａが連結点２０ａに連結されている構成とした場合に比べ、このメスリンク２２はなるべくメス棒２４が延在する方向（すなわちＺ方向）に近づくように傾いた状態となっている。この状態でメスリンク２２が上下動すると、メスリンク２２の端部２２ｂとメス棒２４との間の（メス棒抱き２３を介する）連結部分では、Ｚ方向に延在するメス棒２４に対するＸ方向への側圧が軽減され、かつ、メスリンク２２の上下動が効率良くメス棒２４の上下の揺動に伝達される。そして、この場合、メス棒２４の折損、メス棒２４とメス棒２４をＺ方向にガイドするガイド部材２５との間での摩耗等の不都合を未然に防止でき、Ｚ方向におけるメス棒２４の上下動を円滑に行うことができる。
【００２８】
また、切換手段３０によって、メス棒２４を上下動させる場合と、メス棒２４を上に持ち上げて静止させる場合とに切り換えることができる。このような構成とすることにより、例えば、玉縁縫いを行う場合には、メス棒２４を上下動させメス２６を使用するようにし、一方、玉縁縫いを行わない場合には、メス棒２４を常に上に持ち上げて静止させメス２６を使用しないように切り換えることができる。そして、主軸１２の周囲にいろいろな部材が配置され、メス駆動軸１４の配置が制限されるようなミシンであっても、本実施形態のメス駆動機構１０を適用すれば、玉縁縫い専用のミシンではなく玉縁縫い以外の用途でも使用可能な汎用性を有するミシンとすることができる。
【００２９】
【発明の効果】
請求項１記載の発明によれば、メス棒の折損、メス棒とメス棒を垂直方向にガイドするガイド部材との間での摩耗等の不都合を未然に防止でき、垂直方向におけるメス棒の上下動を円滑に行うことができる。
【００３０】
請求項２記載の発明によれば、メスを使用する場合とメスを使用しない場合とに切り換えることができる。
【図面の簡単な説明】
【図１】本実施の形態に係るメス駆動機構を示す斜視図である。
【図２】前記メス駆動機構を図１とは異なる位置から見た斜視図である。
【図３】従来技術及び本実施形態に係る玉縁縫いミシンを示す斜視図である。
【図４】前記玉縁縫いミシンを用いた玉縁縫いの工程を説明するための図である。
【符号の説明】
１０      メス駆動機構
１２      主軸
１４      メス駆動軸
１６      クランク機構
１７      第一クランク片
１８      第二クランク片
２０      上下動リンク
２０ａ    連結点
２０ｂ    支点
２２      メスリンク（連結機構の一部）
２２ｃ    ピン（連結機構の一部）
２３      メス棒抱き（連結機構の一部）
２３ａ    ピン（連結機構の一部）
２４      メス棒
２６      メス
３０      切換手段
３１      ソレノイド
３２      切換リンク
４０      回動軸心
【図１】
0003779916.tif 000002
【図２】
0003779916.tif 000003
【図３】
0003779916.tif 000004
【図４】
0003779916.tif 000005